(57)【要約】【課題】発光時にはＬＥＤなどの発光素子からの光の輝度の低下を少なくしつつ、消光時には光導出領域が乳白色に見えることを防止し、携帯端末装置のデザイン性を向上する。【解決手段】発光素子５１と、少なくとも発光素子５１に対向する光導出領域Ｌを有するパネル２３と、光導出領域Ｌに配され発光素子５１からの光を外部に導出する拡散部材５２とを備え、拡散部材５２は、光吸収部５２ａと、光拡散部５２ｂと、を有する。また、拡散部材５２は、光拡散層からなり、光吸収部５２ａは、光拡散層上に積層されたメッシュ状の光吸収層からなり、光吸収層は、光拡散層とパネル２３との間に配される。【選択図】図３
2009094554.tif 000002
【特許請求の範囲】
【請求項１】
発光素子と、
少なくとも前記発光素子に対向する光導出領域を有するパネルと、
前記光導出領域に配され前記発光素子からの光を外部に導出する拡散部材と、を備え、
前記拡散部材は、光吸収部と、光拡散部と、を有する携帯端末装置。
【請求項２】
請求項１に記載の携帯端末装置であって、
前記光拡散部は、光拡散層からなり、
前記光吸収部は、前記光拡散層上に積層されたメッシュ状の光吸収層からなり、
前記光吸収層が、前記光拡散層と前記パネルとの間に配される携帯端末装置。
【請求項３】
請求項２に記載の携帯端末装置であって、
前記光吸収層は、肉眼では、前記パネルを通してそのメッシュ状の構造を視認不能である携帯端末装置。
【請求項４】
請求項２又は３のいずれかに記載の携帯端末装置であって、
前記光吸収層は、メッシュ状の光吸収シートで構成され、
前記光拡散層は、光拡散シートで構成された携帯端末装置。
【請求項５】
請求項４に記載の携帯端末装置であって、
前記光吸収シートは、黒色であり、開口部２５μｍ角〜６０μｍ角、開口率５０％以下のメッシュ状の構造を有する携帯端末装置。
【請求項６】
請求項４又は５のいずれかに記載の携帯端末装置であって、
前記光吸収シートと前記光拡散シートとは少なくとも一部が接着層を介して貼り合わされた携帯端末装置。
【請求項７】
請求項２に記載の携帯端末装置であって、
前記光拡散層は、光拡散シートで構成され、
前記光吸収層は、前記光拡散シート上に塗布形成された携帯端末装置。
【請求項８】
請求項１に記載の携帯端末装置であって、
前記拡散部材は、同一面内に光吸収部と、光拡散部と、を有する携帯端末装置。
【請求項９】
請求項８に記載の携帯端末装置であって、
前記拡散部材は、メッシュ状の光吸収部と、前記光吸収部のメッシュ内に充填された拡散材料で構成された光拡散部と、を有する携帯端末装置。
【請求項１０】
請求項８に記載の携帯端末装置であって、
前記拡散部材は、少なくとも表面が光吸収性材料で被覆された光吸収性粒子からなる光吸収部と、少なくとも表面が光拡散性材料で被覆された光拡散性粒子からなる光拡散部とが、接着層内に散在せしめられたシート部材で構成された携帯端末装置。
【請求項１１】
請求項１乃至１０のいずれかに記載の携帯端末装置であって、
前記光吸収部は、黒色である携帯端末装置。
【請求項１２】
請求項１乃至１１のいずれかに記載の携帯端末装置であって、
前記パネルの前記光導出領域は、半透光性の基体で構成され、
前記光導出領域の周縁の領域は、黒色となるように構成された領域を含む携帯端末装置。
【請求項１３】
請求項１２に記載の携帯端末装置であって、
前記パネルの前記光導出領域は、半透光性の基体で構成され、
前記光導出領域の周縁の領域は、前記基体に塗布された黒色層で構成された携帯端末装置。
【請求項１４】
請求項１２又は１３のいずれかに記載の携帯端末装置であって、
前記パネルの前記基体は、少なくとも前記光導出領域がハーフミラーで構成される携帯端末装置。
【請求項１５】
請求項１４に記載の携帯端末装置であって、
前記パネルの光導出領域は、外側からみたとき、少なくとも前記光導出領域の周縁の領域とほぼ同一の明度をもつ携帯端末装置。
【請求項１６】
請求項１乃至１５のいずれかに記載の携帯端末装置であって、
前記発光素子は、ＬＥＤである、携帯端末装置。
【請求項１７】
請求項１乃至１６のいずれかに記載の携帯端末装置であって、
前記光拡散部材は、前記光導出領域の５０％以上を遮光するように構成された携帯端末装置。
【請求項１８】
発光素子と、
少なくとも前記発光素子に対向する光導出領域を有するパネルと、
前記光導出領域に配され前記発光素子からの光を外部に導出する拡散部材と、を備え、
前記拡散部材は、光吸収部と、光拡散部と、を有する電子機器。
【発明の詳細な説明】
【技術分野】
【０００１】
本発明は、携帯端末装置などの電子機器にかかり、特に携帯電話機、ＰＨＳ（Personal Handyphone System）、ＰＤＡ（Personal Digital Assistant）などを含む携帯端末装置などの電子機器の表示構造に関する。
【背景技術】
【０００２】
近年、携帯電話機に代表される携帯端末装置は、各種開発が進められているが、その多機能化に加えて、視認性及び意匠性への要求も高くなってきている。一方、携帯端末装置では、通常、着信を音や振動以外で報知する手段として、発光素子（ＬＥＤ）を点滅させ、そのＬＥＤからの光を、筐体に設けられた拡散レンズからなる表示窓を通して点滅表示させるものが提案されている。
【０００３】
視認性、意匠性を追及していくと、ＬＥＤに接続された、内部の電子回路基板が透けて見えてしまう点が問題となる。そこで、内部の電子回路基板が透けて見えてしまうのを防ぐとともに、発光素子の表示情報を視認しやすくするために、筐体部分の裏側に、光透過性樹脂にハーフ蒸着によって半透過性を有する透光部と、それ以外の部分に有色の非光透過性樹脂を形成した構造が提案されている。また、表面と背面との間の筐体内部からは、ＬＥＤからの光が光透過性樹脂による透光部を透過するように形成される。この構造によれば、光透過性樹脂９はハーフ蒸着されているので、上側筐体部の外部から内部の電子回路基板は見えずまた、非光透過性樹脂１０で覆われた部分も上側筐体部の外部から内部は見えなくなる（特許文献１参照）。
【０００４】
【特許文献１】特開２００６−１９１４３２号公報
【発明の開示】
【発明が解決しようとする課題】
【０００５】
しかしながら、特許文献１の構造では、ハーフ蒸着による半透過性の透光部は、消光時に光導出領域が乳白色に見えてしまうという問題があった。
【０００６】
そこで、ＬＥＤの搭載された電子回路基板と透光部との間に介装される拡散シートの色をグレーなどの濃い色にすれば、消光時に白く見えなくなるが、その反面、発光時の輝度が低下してしまうという問題がある。
【０００７】
本発明は、前記実情に鑑みてなされたもので、発光時にはＬＥＤなどの発光素子からの光の輝度の低下を少なくしつつ、消光時には光導出領域が乳白色に見えることを防止し、デザイン性の向上を図ることができる携帯端末装置を提供することを目的とする。
【課題を解決するための手段】
【０００８】
本発明の携帯端末装置は、発光素子と、少なくとも前記発光素子に対向する光導出領域を有するパネルと、前記光導出領域に配され前記発光素子からの光を外部に導出する拡散部材とを備え、前記拡散部材は、光吸収部と、光拡散部と、を有することを特徴とする。
【０００９】
上記構成によれば、拡散部材が、光拡散部と光吸収部とを有することで、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００１０】
また、本発明は、上記携帯端末装置において、前記光拡散部は、光拡散層からなり、前記光吸収部は、前記光拡散層上に積層されたメッシュ状の光吸収層からなり、前記光吸収層が、前記光拡散層と前記パネルとの間に配されることを特徴とする。
【００１１】
上記構成によれば、光吸収部が、光拡散層上に積層されたメッシュ状の光吸収層からなり、光吸収層が、光拡散層とパネルとの間に配されるため、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００１２】
また、本発明は、上記携帯端末装置において、前記光吸収層は、肉眼では、前記パネルを通してそのメッシュ状の構造を視認不能であることを特徴とする。つまり、前記パネルを通して肉眼で見た場合にはそのメッシュ状の構造を視認することができない。
上記構成によれば、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００１３】
また、本発明は、上記携帯端末装置において、前記光吸収層は、メッシュ状の光吸収シートで構成され、前記光拡散層は、光拡散シートで構成されたことを特徴とする。
【００１４】
上記構成によれば、メッシュ状の光吸収シートと光拡散シートとを貼り合わせればよく、取り扱いが容易となる。
【００１５】
また、本発明は、上記携帯端末装置において、前記光吸収シートは、黒色であり、開口部２５μｍ角〜６０μｍ角、開口率５０％以下のメッシュ状の構造を有することを特徴とする。
【００１６】
上記構成によれば、上記光吸収シートにより、消光時には良好な遮光性を発現し、光導出領域が乳白色に見えることを防止することができ、発光時には黒色メッシュのメッシュ穴から透過した光によってＬＥＤなどの発光素子からの光の輝度の低下を少なくすることができる。
【００１７】
また、本発明は、上記携帯端末装置において、前記光吸収シートと前記光拡散シートとは少なくとも一部が接着層を介して貼り合わされたことを特徴とする。
【００１８】
上記構成によれば、作業性よく拡散部材を製造することができる。また、光吸収シートと光拡散シートが接着層を介して面接触しており、拡散部材の強度が向上するとともに位置ずれも防止される。
【００１９】
また、本発明は、上記携帯端末装置において、前記光拡散層は、光拡散シートで構成され、前記光吸収層は、前記光拡散シート上に塗布形成されたことを特徴とする。
【００２０】
上記構成によれば、前記光拡散シート上に光吸収層を、塗布形成することで拡散部材が形成されるため、製造が容易でかつ厚さの低減をはかることが可能となる。
【００２１】
また、本発明は、上記携帯端末装置において、前記拡散部材は、同一面内に光吸収部と、光拡散部と、を有することを特徴とする。
【００２２】
上記構成によれば、上記効果に加え、厚さを薄くすることができる。
【００２３】
また、本発明は、上記携帯端末装置において、前記拡散部材は、メッシュ状の光吸収部と、前記光吸収部のメッシュ内に充填された拡散材料で構成された光拡散部と、を有することを特徴とする。
【００２４】
上記構成によれば、より肉薄化をはかることができ、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００２５】
また、本発明は、上記携帯端末装置において、前記拡散部材は、少なくとも表面が光吸収性材料で被覆された光吸収性粒子からなる光吸収部と、少なくとも表面が光拡散性材料で被覆された光拡散性粒子からなる光拡散部とが、接着層内に散在せしめられたシート部材で構成されたことを特徴とする。
【００２６】
上記構成によれば、光吸収性粒子と光拡散性粒子とがシート部材内で均一に分布するように分散させて塗布形成すればよいため、極めて製造作業性がよく、かつ肉薄化が可能であるため、発光時には輝度の低下を防ぐことができる。
【００２７】
また、本発明は、上記携帯端末装置において、前記光吸収部は、黒色であることを特徴とする。
【００２８】
上記構成によれば、光吸収部を黒色で構成することで、消光時に良好な遮光性を発現し、光導出領域が乳白色に見えることを防止することができる。
【００２９】
また、本発明は、上記携帯端末装置において、前記パネルの前記光導出領域は、半透光性の基体で構成され、前記光導出領域の周縁の領域は、黒色となるようにで構成された領域を含むことを特徴とする。
【００３０】
また、本発明は、上記携帯端末装置において、前記光導出領域の周縁の領域は、前記基体に塗布された黒色層で構成された領域を含むことを特徴とする。
【００３１】
上記構成によれば、光導出領域とその周縁の領域とを同一素材で構成し、しかも類似色となるようにしているため、特に消光時の輪郭がほとんどなく同色となるようにすることができる。
【００３２】
また、本発明は、上記携帯端末装置において、前記パネルの前記基体は、少なくとも前記光導出領域はハーフミラーで構成されることを特徴とする。
【００３３】
上記構成によれば、内部の電子回路基板が見えないようにかつＬＥＤの光は良好に透視するようにすることができる。
【００３４】
また、本発明は、上記携帯端末装置において、前記パネルの光導出領域は、外側からみたとき、少なくとも前記光導出領域の周縁の領域とほぼ同一の明度をもつことを特徴とする。
【００３５】
上記構成によれば、消光時の外観性を向上することができる。
【００３６】
また、本発明は、上記携帯端末装置において、前記発光素子は、ＬＥＤであることを特徴とする。
【００３７】
上記構成によれば、発光素子としてＬＥＤを用いることにより、光の直進性により、メッシュであれば、効率よく光の導出を行うことができる。
【００３８】
また、本発明は、上記携帯端末装置において、前記光拡散部材は、前記光導出領域の５０％以上を遮光するように構成されたことを特徴とする。
【００３９】
上記構成によれば、光拡散部材で光導出領域の５０％以上を遮光するため、消光時に光導出領域が乳白色に見えることを防止することができる。
【００４０】
また、本発明の電子機器は、発光素子と、少なくとも前記発光素子に対向する光導出領域を有するパネルと、前記光導出領域に配され前記発光素子からの光を外部に導出する拡散部材と、を備え、前記拡散部材は、光吸収部と、光拡散部と、を有することを特徴とする。
【００４１】
上記構成によれば、拡散部材が、光拡散部と、光吸収部と、を有することで、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【発明の効果】
【００４２】
本発明によれば、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【発明を実施するための最良の形態】
【００４３】
（実施の形態１）
以下、本発明の実施の形態１について、図面を参照しながら詳細に説明する。
図１（ａ）および（ｂ）は、本発明の実施の形態１の携帯端末装置としての携帯電話機１０の全体概要図を示すものである。図２および図３はその要部断面図、図４は拡散部材を示す図である。
本発明の実施の形態１の携帯電話機１０は、図２および図３に示すように、その着信時、充電時、発信時などの表示を行う表示構造５に特徴を有するもので、その表示構造１が、樹脂からなるパネル２３の一部の領域である光導出領域Ｌに設けられ、光導出領域Ｌの内方に配されたＬＥＤ５１と、このＬＥＤ５１からの光を外部に導出する拡散部材５２とを備え、消光時に、ＬＥＤ５１を含む回路基板５３が外部から見えないようにしたことを特徴とする。この拡散部材５２は、図４（ａ）および(ｂ)に示すように、黒色のメッシュ状の光吸収シート５２ａで構成された光吸収部と、光拡散シート５２ｂとが、両面テープ５２ｃで貼りあわされて構成されており、さらに両面テープ５２ｃを介して、上部筐体２のケース２４に貼着されている。
メッシュ状の光吸収シート５２ａは、ナイロンなどの樹脂製の繊維をメッシュ状に編んだものを用いることができる。また、色は黒色が望ましい。また、メッシュ状の光吸収シート５２ａは、例えば、開口部４２μｍ角（望ましくは２５μｍ角〜６０μｍ角程度）、開口率３０％〜４０％程度（望ましくは５０％以下）のメッシュサイズのものを用いることができる。このようなサイズのメッシュ状の光吸収シート５２ａは、虫めがねを用いて見た場合にはそのメッシュ状の構造を視認することができるが、パネル２３を通して肉眼で見た場合には、ＬＥＤ５１の消光時にも発光時にも、そのメッシュ状の構造を視認することができないものである。なおこのメッシュ状の構造（前述の開口部サイズ、開口率など）はシート内で均一となるように構成する。
【００４４】
またここで、パネル２３は、半透光性の基体で構成され、光導出領域Ｌの周縁の領域は、基体の裏面に塗布された黒色層で構成される。この構成によれば、光導出領域とその周縁の領域とを同一素材で構成し、しかも類似色となるようにしているため、特に消光時の輪郭がほとんどなく、光導出領域Ｌとその周縁の領域とがほぼ同色となるようにすることができる。
【００４５】
この表示構造１におけるＬＥＤ５１は、点灯回路を含む回路パターンの形成された回路基板５３上に実装されており、この回路基板５３は両面テープなどの接着層５４を介して補強板（または反射板）５５に接着されており、図示しないアンテナで着信信号を受信すると、この回路基板５３上で信号処理がなされ、ＬＥＤ５１が点滅するように電流供給がなされる。
【００４６】
また、この補強板（または反射板）５５には、液晶パネル２７を表示するためのバックライト２６が接着層５４を介して接着されている。またこの液晶パネル２７に、スペーサ２９を介してパネル（液晶表示部用パネル）２８が装着され、液晶表示部２１を構成している。
【００４７】
この携帯電話機１０は、表示構造５以外は通例の折畳式の筐体で構成されており、例えば、上部筐体２及び下部筐体３と、これらの筐体２、３を開閉可能に連結するヒンジ部４とヒンジ軸４１とを備えている。ヒンジ部４及びヒンジ軸４１により、携帯電話機１０は、下部筐体３に対して上部筐体２を２方向（図１ではＹ方向及びＸ方向）に開閉可能となっている。
【００４８】
上部筐体２は、内面（図１（ａ）では下面）２Ａ側に液晶表示部２１及び受話部２２を設けている。
【００４９】
下部筐体３は、内面（図１では上面）３Ａに操作部３１及び送話部３２を向けているとともに、外面（図１では下面）３Ｂに図示外のバッテリ室を閉じる蓋などを取り付けている。
【００５０】
この拡散部材５２の製造方法の一例について説明する。この拡散部材５２は、基体シート５０上に、複数個配列して形成された円形の黒色のメッシュからなる吸収シート５２ａ（図５（ａ））と、基体シート５０上に、複数個配列して形成された円形の光拡散シート５２ｂ（図５（ｂ））とを用意し、これらを、両面テープ５２ｃで貼りあわせて形成される（図５（ｃ））。装着時に、基体シート５０から取り外して１個づつに分離しケース２４に設けられた凹部に両面テープを介して貼着し、固定することで容易に実装可能である。なお、前述のように、メッシュ状の光吸収シート５２ａは、例えば、開口部４２μｍ角、開口率３０％〜４０％程度のメッシュ状のものを用いるものであるが、図５（ａ）では、メッシュ状形状を模式的に示している（すなわち、実際の円形形状とメッシュ形状のサイズの比等と図５（ａ）のものとは必ずしも同じではない）。
【００５１】
以上のように、本実施の形態によれば、光吸収シートが、黒色メッシュを含むことで消光時には良好な遮光性を発現し、光導出領域が乳白色に見えることを防止することができ、発光時には黒色メッシュのメッシュ穴から透過した光によってＬＥＤなどの発光素子からの光の輝度の低下を少なくすることができる。
【００５２】
また、このメッシュは、光導出領域の３０〜４０％望ましくは５０％以上を遮光するようにメッシュサイズを調整することで、消光時に光導出領域が乳白色に見えることを防止することができる。
【００５３】
この携帯端末装置によれば、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００５４】
なお、パネルの光導出領域Ｌは、外側からみたとき、少なくとも光導出領域Ｌの周縁の領域とほぼ同一の明度をもつようにするのが望ましく、これにより、消光時の外観性をより向上することができる。
【００５５】
なお、前記実施の形態１では、拡散部材５２を黒色メッシュからなる光吸収シート５２ａと光拡散シート５２ｂとを接着剤層５２ｃを介して接着することで空間を隔てて結合して構成したが、光吸収シート５２ａと光拡散シート５２ｂとを密着させてもよい。いずれの場合も、前記光吸収層が、前記光拡散層と前記パネルとの間に配されるようにし、ＬＥＤなどの発光素子からの光が光吸収層を経て光拡散層に到達し、パネルの光導出領域Ｌから導出されるようにすればよい。
【００５６】
なお、パネルの基体の光導出領域はハーフミラーで構成してもよい。この構成によれば、内部の電子回路基板が見えないようにかつＬＥＤの光は良好に透視するようにすることができる。
【００５７】
（実施の形態２）
次に本発明の実施の形態２の携帯電話機の表示構造について説明する。ここでは拡散部材について説明するが、他部については図２，３で説明した表示構造５以外は前記実施の形態１と同様である。本実施の形態の表示構造では、実施の形態１の貼り合わせ構造の拡散部材５２に代えて、図７に示すように、黒色メッシュ状の印刷パターンからなる光吸収部１５２ａを接着剤層１５２ｃを介して光拡散シート１５２ｂ上に形成し、拡散部材１５２を構成したことを特徴とする。
【００５８】
この拡散部材１５２は、図７（ａ）に断面図、図７（ｂ）に平面図を示すように、半透光性のアクリルシートからなる光拡散シート１５２ｂ上に、スクリーン印刷により、黒色メッシュ状のクロムを主成分とする印刷パターンを形成したものである。ここでこの印刷パターンは、例えば、開口部４２μｍ角（望ましくは２５μｍ角〜６０μｍ角程度）、開口率３０％〜４０％程度（望ましくは５０％以下）の網目状パターンからなる光吸収部１５２ａとした。
【００５９】
この拡散部材も前記実施の形態１の携帯電話機と同様に、カバー２４の凹部に両面テープで装着される。
なおこの拡散部材は、図８に示すように、シート状の光拡散シート１５２ｂ上にスクリーン印刷により多数個の光吸収部１５２ａを印刷形成し、実装時に個々のシートに分割することにより製造することもできる。
【００６０】
この構成によっても、光吸収部が、光拡散シート上に積層されたメッシュ状の印刷パターンからなる光吸収層からなり、光吸収層が、光拡散層とパネルとの間に配されるように装着されることで、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００６１】
また、上記構成によれば、作業性よく拡散部材を製造することができる。また、本実施の形態の拡散部材は、光吸収シートと光拡散シートが接着層を介して面接触しており、拡散部材の強度が向上するとともに位置ずれも防止される。
【００６２】
なお前記実施の形態２では、スクリーン印刷によってメッシュ状の黒色パターンを形成したが、スクリーン印刷に限定されることなく、インクジェット法、マスクとなる冶具を介して真空蒸着するマスク蒸着法、あるいは真空蒸着後にフォトリソグラフィを行うことでパターニングするなど適宜選択可能である。
【００６３】
（実施の形態３）
次に本発明の実施の形態３の携帯電話機の表示構造について説明する。本実施の形態の表示構造では、前記実施の形態２のメッシュ状の黒色パターンに代えて図９および図１０に示すように、光吸収層２５２ａとして、透過率３０％〜４０％程度（望ましくは５０％以下）のクロム粒子Ｃを含む半遮光性材料を用い、これを、アクリルシートからなる光拡散シート２５２ｂ上に塗布形成したことを特徴とする。クロム粒子Ｃを含む塗布膜パターンからなる光吸収部２５２ａを接着剤層２５２ｃを介して光拡散シート２５２ｂ上に形成し、拡散部材２５２を構成したことを特徴とする。図１０は光吸収層２５２ａの拡大模式図である。アクリル樹脂からなる基体２５０内にクロム粒子Ｃが分散せしめられている。
【００６４】
上記構成によれば、前記光拡散シート上にクロム粒子Ｃからなる遮光性粒子を含む光吸収層を、塗布形成することで拡散部材が形成されるため、厚さに対しては強度が高く、結果として全体としての厚さの低減をはかることが可能となる。また、パターニングが不要であるため、製造が容易である。この遮光性粒子の含有率を調整することで遮光率は自由に調整可能である。
上記構成によっても、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００６５】
（実施の形態４）
次に本発明の実施の形態４の携帯電話機の表示構造について説明する。ここでは拡散部材について説明するが、他部については図２，３で説明した表示構造５以外は前記実施の形態１と同様である。本実施の形態では、実施の形態１の貼り合わせ構造の拡散部材５２に代えて、図１１に示すように、拡散部材３５２を、少なくとも表面が光吸収性材料であるタングステン薄膜で被覆された光吸収性粒子３５２Ａからなる光吸収部と、表面が窒化シリコン膜などの光拡散性材料で被覆された光拡散性粒子３５２Ｄからなる光拡散部とが、ポリイミド樹脂などの接着性の樹脂層３５２Ｃ内に散在せしめられたシート部材で構成したことを特徴とする。すなわち本実施の形態では、同一面内に光吸収部と、光拡散部とが均一に分布されている。
【００６６】
上記構成によれば、厚さを薄くすることができる。製造に際しては、透光性樹脂からなる支持基体上に、上記光吸収性粒子および光拡散性粒子を分散させた樹脂を塗布形成し、装着時に熱処理をすることで、支持基体が消失するようにしている。
かかる構成によれば極めて作業性よく拡散部材を形成することが可能となる。
【００６７】
また構成によれば、光吸収性粒子３５２Ａと光拡散性粒子３５２Ｄとがシート部材内で均一に分布するように分散させて塗布形成すればよいため、製造作業性がよく、かつ肉薄化が可能である。
なお、光吸収性粒子および光拡散性粒子の材質を調整したり、含有率を調整したりすることで、遮光率も微調整することができ、最適化が容易である。
また、光吸収性粒子は表面を光吸収性膜で被覆したものであってもよい。また、光拡散性粒子は表面に屈折率の異なる多層膜を積層したものであってもよい。
さらにまた、黒色メッシュなど遮光性のメッシュ状パターンを形成し、このメッシュ状パターンの開口部に光拡散性の樹脂を充填してもよい。この場合も支持基体上にメッシュ状パターンを形成し、この開口部に光拡散性の樹脂を充填し、硬化させた後、支持基体を除去するようにして容易に形成可能である。
また、上記構成によっても、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となる。
【００６８】
（実施の形態５）
前記実施の形態では、携帯電話機の表示構造について説明したが、携帯電話機に限定されることなく、炊飯器、冷凍冷蔵庫などの電子機器の表示構造にも適用可能である。
これらの電子機器においては、インテリア性の高いものが好まれるようになってきており、おしゃれな空間においても生活観のない家具として遜色のないものが求められる。
例えば上記実施の形態１、２、３または４の表示構造を冷凍冷蔵庫に適用したものを図１２に示す。図１２（ａ）は表示時、図１２（ｂ）は非表示時の状態を示す図である。
【００６９】
この構成によれば、上記携帯端末装置と同様、発光時にはＬＥＤなどの発光素子からの光の輝度の低下を少なくしつつ、消光時には光導出領域が乳白色に見えることを防止することができ、外観がすっきりみえるようになるなど、電子機器のデザイン性を向上することが可能となる。
【００７０】
（実施の形態６）
上記実施の形態１、２、３または４の表示構造を電子機器の一例としての炊飯器に適用したものを図１２に示す。図１３（ａ）は表示時、図１３（ｂ）は非表示時の状態を示す図である。
【００７１】
この構成によれば、上記携帯端末装置と同様、発光時にはＬＥＤなどの発光素子からの光の輝度の低下を少なくしつつ、消光時には光導出領域が乳白色に見えることを防止することができ、外観がすっきりみえるようになるなど、電子機器のデザイン性を向上することが可能となる。
【産業上の利用可能性】
【００７２】
本発明の携帯端末装置および電子機器は、発光時にはＬＥＤなどの発光素子からの光の輝度の低下を少なくしつつ、消光時には光導出領域が乳白色に見えることを防止することができ、外観がすっきりみえるようになるなど、デザイン性を向上することが可能となることから、携帯電話機、ＰＨＳ、ＰＤＡ等を含む携帯端末装置などの電子機器への適用が可能である。
【図面の簡単な説明】
【００７３】
【図１】本発明の実施の形態１に係る携帯電話機を示すものであり、（ａ）は上下筐体を閉じた状態を示す斜視図、（ｂ）は上筐体を開いた状態を示す斜視図
【図２】実施の形態１の携帯電話機のＡ−Ａ断面図
【図３】図２の要部拡大図
【図４】本発明の実施の形態１に係る携帯電話機で用いられる拡散部材を示す図であり、（ａ）は断面図、（ｂ）は平面図
【図５】同拡散部材の製造工程を示す図
【図６】本発明の実施の形態１に係る携帯電話機を示す斜視図であり、（ａ）は消光時、（ｂ）は発光時を示す図
【図７】本発明の実施の形態２に係る携帯電話機で用いられる拡散部材を示す図であり、（ａ）は断面図、（ｂ）は平面図
【図８】同拡散部材の製造工程を示す図
【図９】本発明の実施の形態３に係る携帯電話機で用いられる拡散部材を示す図であり、（ａ）は断面図、（ｂ）は平面図
【図１０】同拡散部材の要部拡大断面図
【図１１】本発明の実施の形態４に係る携帯電話機で用いられる拡散部材を示す図
【図１２】本発明の実施の形態５に係る冷凍冷蔵庫を示す斜視図であり、（ａ）は消光時、（ｂ）は発光時を示す図
【図１３】本発明の実施の形態６に係る炊飯器を示す斜視図であり、（ａ）は消光時、（ｂ）は発光時を示す図
【符号の説明】
【００７４】
１０  携帯電話機（携帯端末装置）
２  上部筐体
２Ａ  内面（下面）
２Ｂ  外面（上面）
２Ｃ  端面
３  下部筐体
４  ヒンジ部
５  表示構造
２３  パネル
５１  ＬＥＤ（発光素子）
５２  拡散部材
５２ａ  光吸収シート
５２ｂ  光拡散シート
５２ｃ  接着剤層
１５２  拡散部材
１５２ａ  光吸収部
１５２ｂ  光拡散シート
１５２ｃ  接着剤層
Ｃ  クロム粒子
２５２  拡散部材
２５２ａ  光吸収部
２５２ｃ  接着剤層
２５２ｂ  光拡散シート
３５２  拡散部材
３５２Ａ  光吸収性粒子
３５２Ｄ  光拡散性粒子
３５２Ｃ  樹脂層
【図１】
2009094554.tif 000003
【図２】
2009094554.tif 000004
【図３】
2009094554.tif 000005
【図４】
2009094554.tif 000006
【図５】
2009094554.tif 000007
【図６】
2009094554.tif 000008
【図７】
2009094554.tif 000009
【図８】
2009094554.tif 000010
【図９】
2009094554.tif 000011
【図１０】
2009094554.tif 000012
【図１１】
2009094554.tif 000013
【図１２】
2009094554.tif 000014
【図１３】
2009094554.tif 000015